(57)【特許請求の範囲】
【請求項１】
無線通信により相互に信号の送受信が可能な表示装置と情報処理装置とからなる送受信システムであって、
前記表示装置は、
供給される画像信号に応じた画像を表示するための表示手段と、
ユーザの指示入力を受け付ける受付手段と、
前記受付手段を通じて前記指示入力を受け付けたときに、供給される前記画像信号に応じた画像を形成する画像データを記憶するメモリと、
前記メモリに前記画像データが記憶されたときに、前記表示手段に対して、前記メモリに記憶された画像データにより形成される画像を一定時間表示するようにした後に、供給される前記画像信号に応じた画像の表示に切り換えるようにする表示制御手段と、
前記メモリに記憶された前記画像データの印刷実行指示入力を受け付ける実行指示受付手段と、
前記実行指示受付手段を通じて前記印刷実行指示入力を受け付けた場合に、印刷実行指示を形成して、前記情報処理装置に送信する印刷実行指示送信手段と、
前記印刷実行指示に対する前記情報処理装置からの応答情報を受信する応答情報受信手段と、
前記応答情報受信手段を通じて受信した応答情報が応答可能であることを示すものである場合に、前記メモリに記憶された画像データから印刷用データを形成する印刷用データ形成手段と、
前記印刷用データ形成手段により形成された前記印刷用データを前記情報処理装置に送信する印刷用データ送信手段と
を備え、
前記情報処理装置は、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える送受信システム。
【請求項２】
無線通信により相互に信号の送受信が可能な表示装置と情報処理装置とからなる送受信システムであって、
前記表示装置は、
供給される画像信号に応じた画像を表示するための表示手段と、
ユーザの指示入力を受け付ける受付手段と、
前記受付手段を通じて前記指示入力を受け付けたときに、供給される前記画像信号に応じた画像を形成する画像データを記憶するメモリと、
前記メモリに前記画像データが記憶されたときに、前記メモリに記憶された画像データに基づいて、前記表示手段の表示画面の一部分に表示する縮小画像を形成する縮小画像形成手段と、
前記表示手段に対して、供給される前記画像信号に応じた画像の表示を続行するとともに、前記縮小画像形成手段により形成された前記縮小画像を前記表示手段の表示画面の一部分に表示するようにする表示制御手段と、
前記メモリに記憶された前記画像データの印刷実行指示入力を受け付ける実行指示受付手段と、
前記実行指示受付手段を通じて前記印刷実行指示入力を受け付けた場合に、印刷実行指示を形成して、前記情報処理装置に送信する印刷実行指示送信手段と、
前記印刷実行指示に対する前記情報処理装置からの応答情報を受信する応答情報受信手段と、
前記応答情報受信手段を通じて受信した応答情報が応答可能であることを示すものである場合に、前記メモリに記憶された画像データから印刷用データを形成する印刷用データ形成手段と、
前記印刷用データ形成手段により形成された前記印刷用データを前記情報処理装置に送信する印刷用データ送信手段と
を備え、
前記情報処理装置は、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える送受信システム。
【請求項３】
請求項１または請求項２に記載の送受信システムであって、
前記表示装置においては、
前記メモリに前記画像データが記憶されたときに、少なくとも操作の確認入力を受け付けるためのダイアログ画像を前記表示手段に表示するようにするダイアログ表示処理手段を備え、
前記実行指示受付手段は、前記表示手段に表示される前記ダイアログ画像に対して入力するようにする前記印刷実行指示入力を受け付ける送受信システム。
【請求項４】
請求項１または請求項２に記載の送受信システムであって、
前記表示装置においては、
前記応答情報受信手段を通じて受信した応答情報が応答不能であることを示すものである場合に、エラー表示画像を形成するエラー表示画像形成手段と、
前記エラー表示画像形成手段により形成された前記エラー表示画像を、前記表示手段に表示するように制御するエラー表示制御手段と
を備える送受信システム。
【請求項５】
無線通信により相互に信号の送受信が可能な表示装置と情報処理装置とからなる送受信システムの前記表示装置であって、
供給される画像信号に応じた画像を表示するための表示手段と、
ユーザの指示入力を受け付ける受付手段と、
前記受付手段を通じて前記指示入力を受け付けたときに、供給される前記画像信号に応じた画像を形成する画像データを記憶するメモリと、
前記メモリに前記画像データが記憶されたときに、前記表示手段に対して、前記メモリに記憶された画像データにより形成される画像を一定時間表示するようにした後に、供給される前記画像信号に応じた画像の表示に切り換えるようにする表示制御手段と、
前記メモリに記憶された前記画像データの印刷実行指示入力を受け付ける実行指示受付手段と、
前記実行指示受付手段を通じて前記印刷実行指示入力を受け付けた場合に、印刷実行指示を形成して、前記情報処理装置に送信する印刷実行指示送信手段と、
前記印刷実行指示に対する前記情報処理装置からの応答情報を受信する応答情報受信手段と、
前記応答情報受信手段を通じて受信した応答情報が応答可能であることを示すものである場合に、前記メモリに記憶された画像データから印刷用データを形成する印刷用データ形成手段と、
前記印刷用データ形成手段により形成された前記印刷用データを前記情報処理装置に送信する印刷用データ送信手段と
を備える表示装置。
【請求項６】
無線通信により相互に信号の送受信が可能な表示装置と情報処理装置とからなる送受信システムの前記表示装置であって、
供給される画像信号に応じた画像を表示するための表示手段と、
ユーザの指示入力を受け付ける受付手段と、
前記受付手段を通じて前記指示入力を受け付けたときに、供給される前記画像信号に応じた画像を形成する画像データを記憶するメモリと、
前記メモリに前記画像データが記憶されたときに、前記メモリに記憶された画像データに基づいて、前記表示手段の表示画面の一部分に表示する縮小画像を形成する縮小画像形成手段と、
前記表示手段に対して、供給される前記画像信号に応じた画像の表示を続行するとともに、前記縮小画像形成手段により形成された前記縮小画像を前記表示手段の表示画面の一部分に表示するようにする表示制御手段と、
前記メモリに記憶された前記画像データの印刷実行指示入力を受け付ける実行指示受付手段と、
前記実行指示受付手段を通じて前記印刷実行指示入力を受け付けた場合に、印刷実行指示を形成して、前記情報処理装置に送信する印刷実行指示送信手段と、
前記印刷実行指示に対する前記情報処理装置からの応答情報を受信する応答情報受信手段と、
前記応答情報受信手段を通じて受信した応答情報が応答可能であることを示すものである場合に、前記メモリに記憶された画像データから印刷用データを形成する印刷用データ形成手段と、
前記印刷用データ形成手段により形成された前記印刷用データを前記情報処理装置に送信する印刷用データ送信手段と
を備える表示装置。
【請求項７】
請求項５または請求項６に記載の表示装置であって、
前記メモリに前記画像データが記憶されたときに、少なくとも操作の確認入力を受け付けるためのダイアログ画像を前記表示手段に表示するようにするダイアログ表示処理手段を備え、
前記実行指示受付手段は、前記表示手段に表示される前記ダイアログ画像に対して入力するようにする前記印刷実行指示入力を受け付ける表示装置。
【請求項８】
請求項５または請求項６に記載の表示装置であって、
前記応答情報受信手段を通じて受信した応答情報が応答不能であることを示すものである場合に、エラー表示画像を形成するエラー表示画像形成手段と、
前記エラー表示画像形成手段により形成された前記エラー表示画像を、前記表示手段に表示するように制御するエラー表示制御手段と
を備える表示装置。
【請求項９】
無線通信により相互に信号の送受信が可能な表示装置と情報処理装置とからなる送受信システムにおいて行われる画像処理方法であって、
前記表示装置においては、
供給される画像信号に応じた画像を表示手段に表示する表示ステップと、
ユーザの指示入力を、受付手段を通じて受け付ける受付ステップと、
前記受付ステップにおいて前記指示入力を受け付けた場合に、供給される前記画像信号に応じた画像を形成する画像データをメモリに記憶する記憶ステップと、
前記メモリに前記画像データが記憶された場合に、前記表示手段に対して、前記メモリに記憶された画像データにより形成される画像を一定時間表示するようにした後に、供給される前記画像信号に応じた画像の表示に切り換えるように、表示制御手段が各部を制御する表示制御ステップと、
前記メモリに記憶された前記画像データの印刷実行指示入力を、実行指示受付手段を通じて受け付ける実行指示受付ステップと、
前記実行指示受付ステップにおいて前記印刷実行指示入力を受け付けた場合に、印刷実行指示を形成し、印刷実行指示送信手段を通じて前記情報処理装置に送信する印刷実行指示送信ステップと、
前記印刷実行指示に対する前記情報処理装置からの応答情報を、応答情報受信手段を通じて受信する応答受信ステップと、
前記応答受信ステップにおいて受信した応答情報が応答可能であることを示すものである場合に、印刷用データ形成手段により前記メモリに記憶された画像データから印刷用データを形成する印刷用データ形成ステップと、
前記印刷用データ形成ステップにおいて形成した前記印刷用データを、印刷用データ送信手段を通じて前記情報処理装置に送信する印刷用データ送信ステップと
を備え、
前記情報処理装置においては、
前記表示装置から送信されてくる前記印刷実行指示を、印刷実行指示受信手段を通じて受信する印刷実行指示受信ステップと、
前記印刷実行指示受信ステップにおいて前記印刷実行指示を受信した場合に、応答可能か否かを、判別手段を通じて判別する判別ステップと、
前記判別ステップにおいての判別結果を前記表示装置からの前記印刷実行指示に対する応答情報として、応答情報送信手段を通じて前記表示装置に送信する応答情報送信ステップと、
前記応答情報送信ステップにおいて送信する応答情報が応答可能であることを示すものである場合に、送信される前記印刷用データを、印刷用データ受信手段を通じて受信する印刷用データ受信ステップと、
前記印刷用データ受信ステップにおいて受信した前記印刷用データに応じた情報を印刷するように、印刷制御手段が制御する印刷制御ステップと
からなる画像処理方法。
【請求項１０】
無線通信により相互に信号の送受信が可能な表示装置と情報処理装置とからなる送受信システムの前記表示装置において行われる画像処理方法であって、
供給される画像信号に応じた画像を表示手段に表示する表示ステップと、
ユーザの指示入力を、受付手段を通じて受け付ける受付ステップと、
前記受付ステップにおいて前記指示入力を受け付けた場合に、供給される前記画像信号に応じた画像を形成する画像データをメモリに記憶する記憶ステップと、
前記メモリに前記画像データが記憶された場合に、前記表示手段に対して、前記メモリに記憶された画像データにより形成される画像を一定時間表示するようにした後に、供給される前記画像信号に応じた画像の表示に切り換えるように、表示制御手段が各部を制御する表示制御ステップと、
前記メモリに記憶された前記画像データの印刷実行指示入力を、実行指示受付手段を通じて受け付ける実行指示受付ステップと、
前記実行指示受付ステップにおいて前記印刷実行指示入力を受け付けた場合に、印刷実行指示を形成し、印刷実行指示送信手段を通じて前記情報処理装置に送信する印刷実行指示送信ステップと、
前記印刷実行指示に対する前記情報処理装置からの応答情報を、応答情報受信手段を通じて受信する応答受信ステップと、
前記応答受信ステップにおいて受信した応答情報が応答可能であることを示すものである場合に、印刷用データ形成手段により前記メモリに記憶された画像データから印刷用データを形成する印刷用データ形成ステップと、
前記印刷用データ形成ステップにおいて形成した前記印刷用データを、印刷用データ送信手段を通じて前記情報処理装置に送信する印刷用データ送信ステップと
からなる画像処理方法。
【請求項１１】
供給される画像信号に応じた画像を表示するための表示手段と、ユーザの指示入力を受け付ける受付手段と、前記受付手段を通じて前記指示入力を受け付けたときに、供給される前記画像信号に応じた画像を形成する画像データを記憶するメモリと、前記メモリに前記画像データが記憶されたときに、前記表示手段に対して、前記メモリに記憶された画像データにより形成される画像を一定時間表示するようにした後に、供給される前記画像信号に応じた画像の表示に切り換えるようにする表示制御手段と、前記メモリに記憶された前記画像データの印刷実行指示入力を受け付ける実行指示受付手段と、前記実行指示受付手段を通じて前記印刷実行指示入力を受け付けた場合に、印刷実行指示を形成して、前記情報処理装置に送信する印刷実行指示送信手段と、前記印刷実行指示に対する前記情報処理装置からの応答情報を受信する応答情報受信手段と、前記応答情報受信手段を通じて受信した応答情報が応答可能であることを示すものである場合に、前記メモリに記憶された画像データから印刷用データを形成する印刷用データ形成手段と、前記印刷用データ形成手段により形成された前記印刷用データを前記情報処理装置に送信する印刷用データ送信手段とを備えた表示装置と、当該表示装置と無線通信により相互に信号の送受信が可能な情報処理装置とからなる送受信システムの前記情報処理装置であって、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える情報処理装置。
【請求項１２】
供給される画像信号に応じた画像を表示するための表示手段と、ユーザの指示入力を受け付ける受付手段と、前記受付手段を通じて前記指示入力を受け付けたときに、供給される前記画像信号に応じた画像を形成する画像データを記憶するメモリと、前記メモリに前記画像データが記憶されたときに、前記メモリに記憶された画像データに基づいて、前記表示手段の表示画面の一部分に表示する縮小画像を形成する縮小画像形成手段と、前記表示手段に対して、供給される前記画像信号に応じた画像の表示を続行するとともに、前記縮小画像形成手段により形成された前記縮小画像を前記表示手段の表示画面の一部分に表示するようにする表示制御手段と、前記メモリに記憶された前記画像データの印刷実行指示入力を受け付ける実行指示受付手段と、前記実行指示受付手段を通じて前記印刷実行指示入力を受け付けた場合に、印刷実行指示を形成して、前記情報処理装置に送信する印刷実行指示送信手段と、前記印刷実行指示に対する前記情報処理装置からの応答情報を受信する応答情報受信手段と、前記応答情報受信手段を通じて受信した応答情報が応答可能であることを示すものである場合に、前記メモリに記憶された画像データから印刷用データを形成する印刷用データ形成手段と、前記印刷用データ形成手段により形成された前記印刷用データを前記情報処理装置に送信する印刷用データ送信手段とを備えた表示装置と、当該表示装置と無線通信により相互に信号の送受信が可能な情報処理装置とからなる送受信システムの前記情報処理装置であって、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える情報処理装置。
【請求項１３】
供給される画像信号に応じた画像を表示するための表示手段と、ユーザの指示入力を受け付ける受付手段と、前記受付手段を通じて前記指示入力を受け付けたときに、供給される前記画像信号に応じた画像を形成する画像データを記憶するメモリと、前記メモリに前記画像データを記憶したときに、供給される前記画像信号に応じた画像の前記表示手段への表示を続行するとともに、少なくとも操作の確認入力を受け付けるためのダイアログ画像を重ねて表示するようにする表示制御手段と、前記表示手段に表示される前記ダイアログ画像に対して入力するようにする、前記メモリに記憶された前記画像データの印刷実行指示入力を受け付ける実行指示受付手段と、前記実行指示受付手段を通じて前記印刷実行指示入力を受け付けた場合に、印刷実行指示を形成して、前記情報処理装置に送信する印刷実行指示送信手段と、前記印刷実行指示に対する前記情報処理装置からの応答情報を受信する応答情報受信手段と、前記応答情報受信手段を通じて受信した応答情報が応答可能であることを示すものである場合に、前記メモリに記憶された画像データから印刷用データを形成する印刷用データ形成手段と、前記印刷用データ形成手段により形成された前記印刷用データを前記情報処理装置に送信する印刷用データ送信手段とを備えた表示装置と、当該表示装置と無線通信により相互に信号の送受信が可能な情報処理装置とからなる送受信システムの前記情報処理装置であって、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える情報処理装置。
【請求項１４】
供給される画像信号に応じた画像を表示するための表示手段と、ユーザの指示入力を受け付ける受付手段と、前記受付手段を通じて前記指示入力を受け付けたときに、供給される前記画像信号に応じた画像を形成する画像データを記憶するメモリと、前記メモリに前記画像データが記憶されたときに、前記表示手段に対して、前記メモリに記憶された画像データにより形成される画像を一定時間表示するようにした後に、供給される前記画像信号に応じた画像の表示に切り換えるようにする表示制御手段と、前記メモリに記憶された前記画像データの印刷実行指示入力を受け付ける実行指示受付手段と、前記実行指示受付手段を通じて前記印刷実行指示入力を受け付けた場合に、印刷実行指示を形成して、前記情報処理装置に送信する印刷実行指示送信手段と、前記印刷実行指示に対する前記情報処理装置からの応答情報を受信する応答情報受信手段と、前記応答情報受信手段を通じて受信した応答情報が応答可能であることを示すものである場合に、前記メモリに記憶された画像データから印刷用データを形成する印刷用データ形成手段と、前記印刷用データ形成手段により形成された前記印刷用データを前記情報処理装置に送信する印刷用データ送信手段と、前記応答情報受信手段を通じて受信した応答情報が応答不能であることを示すものである場合に、エラー表示画像を形成するエラー表示画像形成手段と、前記エラー表示画像形成手段により形成された前記エラー表示画像を、前記表示手段に表示するように制御するエラー表示制御手段とを備えた表示装置と、当該表示装置と無線通信により相互に信号の送受信が可能な情報処理装置とからなる送受信システムの前記情報処理装置であって、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える情報処理装置。
【請求項１５】
供給される画像信号に応じた画像を表示手段に表示する表示ステップと、ユーザの指示入力を、受付手段を通じて受け付ける受付ステップと、前記受付ステップにおいて前記指示入力を受け付けた場合に、供給される前記画像信号に応じた画像を形成する画像データをメモリに記憶する記憶ステップと、前記メモリに前記画像データが記憶された場合に、前記表示手段に対して、前記メモリに記憶された画像データにより形成される画像を一定時間表示するようにした後に、供給される前記画像信号に応じた画像の表示に切り換えるように、表示制御手段が各部を制御する表示制御ステップと、前記メモリに記憶された前記画像データの印刷実行指示入力を、実行指示受付手段を通じて受け付ける実行指示受付ステップと、前記実行指示受付ステップにおいて前記印刷実行指示入力を受け付けた場合に、印刷実行指示を形成し、印刷実行指示送信手段を通じて前記情報処理装置に送信する印刷実行指示送信ステップと、前記印刷実行指示に対する前記情報処理装置からの応答情報を、応答情報受信手段を通じて受信する応答受信ステップと、前記応答受信ステップにおいて受信した応答情報が応答可能であることを示すものである場合に、印刷用データ形成手段により前記メモリに記憶された画像データから印刷用データを形成する印刷用データ形成ステップと、前記印刷用データ形成ステップにおいて形成した前記印刷用データを、印刷用データ送信手段を通じて前記情報処理装置に送信する印刷用データ送信ステップとを実行する表示装置と、当該表示装置と無線通信により相互に信号の送受信が可能な情報処理装置とからなる送受信システムの前記情報処理装置において行われる画像処理方法であって、
前記表示装置から送信されてくる前記印刷実行指示を、印刷実行指示受信手段を通じて受信する印刷実行指示受信ステップと、
前記印刷実行指示受信ステップにおいて前記印刷実行指示を受信した場合に、応答可能か否かを、判別手段を通じて判別する判別ステップと、
前記判別ステップにおいての判別結果を前記表示装置からの前記印刷実行指示に対する応答情報として、応答情報送信手段を通じて前記表示装置に送信する応答情報送信ステップと、
前記応答情報送信ステップにおいて送信する応答情報が応答可能であることを示すものである場合に、送信される前記印刷用データを、印刷用データ受信手段を通じて受信する印刷用データ受信ステップと、
前記印刷用データ受信ステップにおいて受信した前記印刷用データに応じた情報を印刷するように、印刷制御手段が制御する印刷制御ステップと
からなる画像処理方法。
【発明の詳細な説明】
【技術分野】
【０００１】
この発明は、例えば、テレビジョン受像機（テレビ受像機）などの画像信号を処理するシステム、装置及び方法に関する。
【背景技術】
【０００２】
従来から、テレビ放送により提供されるテレビ放送番組の視聴時において、そのテレビ放送番組中に表示された表示情報を正確にメモしたいなどとする要求がある。例えば、料理番組中にレシピが表示された場合や番組中に視聴者プレゼントの応募先が表示された場合などである。
【０００３】
しかし、テレビ放送番組中において表示される種々の表示情報の提供は、限られた時間でしか行われないので、メモを全部取り終えないうちに、その表示情報が消えてしまうことも多々ある。このため、ＶＴＲ（Video Tape Recorder）を用いて、必要な表示情報をビデオテープに記録し、これを利用することが考えられる。
【０００４】
しかし、録画の開始指示が遅れて、目的とする表示情報をビデオテープに録画できない場合が発生する。これに対応するためには、レシピや応募先などのメモしたい情報を確実に取得するために、例えば、テレビ放送番組の全体を予め録画するようにするなどの対応が必要である。
【０００５】
このように、比較的に長時間のテレビ放送番組をビデオテープに記録した場合には、レシピやクイズの応募先などの表示情報を探し出すのに時間がかかってしまう場合もあり、面倒である。また、ビデオテープが無駄に使用されることにもなる。
【０００６】
そこで、視聴者であるユーザからの指示入力に応じて、その指示入力受け付け時点において、表示画面に表示されていた画像を構成する１フレーム分のフレーム画像データをメモリに取り込み、これを所定時間の間、表示画面に表示したり、あるいは、メモリに取り込んだフレーム画像データを記憶保持し、必要時に応じてこれを再生して表示したりすることにより、見逃したくない表示情報を確実に得ることができるようにしたテレビ受像機などの画像処理装置も提供されている。
【発明の開示】
【発明が解決しようとする課題】
【０００７】
ところで、前述したように、ユーザからの指示に応じて、表示画面に表示されていた画像を構成する１フレーム分のフレーム画像データをメモリに取り込む方式の場合には、目的とする情報を見逃すことはないものの、必要に応じて、ユーザ自身が表示情報をメモに取るなどの作業が必要になる。
【０００８】
このメモを取る作業は面倒であるし、また、しばしば書き間違いも生じる。メモに取る情報が多い場合にはなおさらである。このため、例えば、テレビ放送により提供される番組の表示情報を印刷出力するようにしたいとする要求が高くなってきている。
【０００９】
このことは、前述した料理番組のレシピや視聴者プレゼントの応募先などの文字表示情報だけでなく、テレビ放送番組で提供される動画像の１シーンを印刷物として手元に残し、これを自己の画像資料として利用したいとするユーザの要求をも満たすものである。
【００１０】
しかしながら、例えば、テレビ放送により提供されるテレビ放送番組の１シーンを印刷出力するのに、複雑な操作をしなければならないのでは、目的とする画像を確実かつ迅速に印刷出力することができず、ユーザの要求に十分に対応することはできない。
【００１１】
また、例えば、テレビ放送により提供されるテレビ放送番組の１シーンを印刷出力する場合に、放送中のテレビ放送番組の画像が見られなくなってしまうなどの不都合が生じることがないようにしなければならない。このように、例えば、テレビ受像機などの画像処理装置にユーザの要求に十分に対応可能な印刷機能を搭載することは困難である。
【００１２】
以上のことにかんがみ、この発明は、テレビ放送などにより提供される画像のうちの目的とする画像を簡単な操作で印刷することができるとともに、画像の印刷を行っても表示するようにしていた画像の表示ができなくなるなどの不都合を生じさせることがないようにすることを目的とする。
【課題を解決するための手段】
【００１３】
上記課題を解決するため、請求項１に記載の発明の送受信システムは、
無線通信により相互に信号の送受信が可能な表示装置と情報処理装置とからなる送受信システムであって、
前記表示装置は、
供給される画像信号に応じた画像を表示するための表示手段と、
ユーザの指示入力を受け付ける受付手段と、
前記受付手段を通じて前記指示入力を受け付けたときに、供給される前記画像信号に応じた画像を形成する画像データを記憶するメモリと、
前記メモリに前記画像データが記憶されたときに、前記表示手段に対して、前記メモリに記憶された画像データにより形成される画像を一定時間表示するようにした後に、供給される前記画像信号に応じた画像の表示に切り換えるようにする表示制御手段と、
前記メモリに記憶された前記画像データの印刷実行指示入力を受け付ける実行指示受付手段と、
前記実行指示受付手段を通じて前記印刷実行指示入力を受け付けた場合に、印刷実行指示を形成して、前記情報処理装置に送信する印刷実行指示送信手段と、
前記印刷実行指示に対する前記情報処理装置からの応答情報を受信する応答情報受信手段と、
前記応答情報受信手段を通じて受信した応答情報が応答可能であることを示すものである場合に、前記メモリに記憶された画像データから印刷用データを形成する印刷用データ形成手段と、
前記印刷用データ形成手段により形成された前記印刷用データを前記情報処理装置に送信する印刷用データ送信手段と
を備え、
前記情報処理装置は、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える。
【００１９】
また、請求項２に記載の発明の送受信システムは、
無線通信により相互に信号の送受信が可能な表示装置と情報処理装置とからなる送受信システムであって、
前記表示装置は、
供給される画像信号に応じた画像を表示するための表示手段と、
ユーザの指示入力を受け付ける受付手段と、
前記受付手段を通じて前記指示入力を受け付けたときに、供給される前記画像信号に応じた画像を形成する画像データを記憶するメモリと、
前記メモリに前記画像データが記憶されたときに、前記メモリに記憶された画像データに基づいて、前記表示手段の表示画面の一部分に表示する縮小画像を形成する縮小画像形成手段と、
前記表示手段に対して、供給される前記画像信号に応じた画像の表示を続行するとともに、前記縮小画像形成手段により形成された前記縮小画像を前記表示手段の表示画面の一部分に表示するようにする表示制御手段と、
前記メモリに記憶された前記画像データの印刷実行指示入力を受け付ける実行指示受付手段と、
前記実行指示受付手段を通じて前記印刷実行指示入力を受け付けた場合に、印刷実行指示を形成して、前記情報処理装置に送信する印刷実行指示送信手段と、
前記印刷実行指示に対する前記情報処理装置からの応答情報を受信する応答情報受信手段と、
前記応答情報受信手段を通じて受信した応答情報が応答可能であることを示すものである場合に、前記メモリに記憶された画像データから印刷用データを形成する印刷用データ形成手段と、
前記印刷用データ形成手段により形成された前記印刷用データを前記情報処理装置に送信する印刷用データ送信手段と
を備え、
前記情報処理装置は、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える。
【００２５】
また、請求項３に記載の発明の送受信システムは、請求項１または請求項２に記載の送受信システムであって、
請求項１または請求項２に記載の送受信システムであって、
前記表示装置においては、
前記メモリに前記画像データが記憶されたときに、少なくとも操作の確認入力を受け付けるためのダイアログ画像を前記表示手段に表示するようにするダイアログ表示処理手段を備え、
前記実行指示受付手段は、前記表示手段に表示される前記ダイアログ画像に対して入力するようにする前記印刷実行指示入力を受け付ける。
【００２８】
また、請求項４に記載の発明の送受信システムは、請求項１または請求項２に記載の送受信システムであって、
前記表示装置においては、
前記応答情報受信手段を通じて受信した応答情報が応答不能であることを示すものである場合に、エラー表示画像を形成するエラー表示画像形成手段と、
前記エラー表示画像形成手段により形成された前記エラー表示画像を、前記表示手段に表示するように制御するエラー表示制御手段と
を備える。
【００３２】
また、請求項５に記載の表示装置は、
無線通信により相互に信号の送受信が可能な表示装置と情報処理装置とからなる送受信システムの前記表示装置であって、
供給される画像信号に応じた画像を表示するための表示手段と、
ユーザの指示入力を受け付ける受付手段と、
前記受付手段を通じて前記指示入力を受け付けたときに、供給される前記画像信号に応じた画像を形成する画像データを記憶するメモリと、
前記メモリに前記画像データが記憶されたときに、前記表示手段に対して、前記メモリに記憶された画像データにより形成される画像を一定時間表示するようにした後に、供給される前記画像信号に応じた画像の表示に切り換えるようにする表示制御手段と、
前記メモリに記憶された前記画像データの印刷実行指示入力を受け付ける実行指示受付手段と、
前記実行指示受付手段を通じて前記印刷実行指示入力を受け付けた場合に、印刷実行指示を形成して、前記情報処理装置に送信する印刷実行指示送信手段と、
前記印刷実行指示に対する前記情報処理装置からの応答情報を受信する応答情報受信手段と、
前記応答情報受信手段を通じて受信した応答情報が応答可能であることを示すものである場合に、前記メモリに記憶された画像データから印刷用データを形成する印刷用データ形成手段と、
前記印刷用データ形成手段により形成された前記印刷用データを前記情報処理装置に送信する印刷用データ送信手段と
を備える。
【００３５】
また、請求項６に記載の表示装置は、
無線通信により相互に信号の送受信が可能な表示装置と情報処理装置とからなる送受信システムの前記表示装置であって、
供給される画像信号に応じた画像を表示するための表示手段と、
ユーザの指示入力を受け付ける受付手段と、
前記受付手段を通じて前記指示入力を受け付けたときに、供給される前記画像信号に応じた画像を形成する画像データを記憶するメモリと、
前記メモリに前記画像データが記憶されたときに、前記メモリに記憶された画像データに基づいて、前記表示手段の表示画面の一部分に表示する縮小画像を形成する縮小画像形成手段と、
前記表示手段に対して、供給される前記画像信号に応じた画像の表示を続行するとともに、前記縮小画像形成手段により形成された前記縮小画像を前記表示手段の表示画面の一部分に表示するようにする表示制御手段と、
前記メモリに記憶された前記画像データの印刷実行指示入力を受け付ける実行指示受付手段と、
前記実行指示受付手段を通じて前記印刷実行指示入力を受け付けた場合に、印刷実行指示を形成して、前記情報処理装置に送信する印刷実行指示送信手段と、
前記印刷実行指示に対する前記情報処理装置からの応答情報を受信する応答情報受信手段と、
前記応答情報受信手段を通じて受信した応答情報が応答可能であることを示すものである場合に、前記メモリに記憶された画像データから印刷用データを形成する印刷用データ形成手段と、
前記印刷用データ形成手段により形成された前記印刷用データを前記情報処理装置に送信する印刷用データ送信手段と
を備える。
【００３８】
また、請求項７に記載の表示装置は、請求項５または請求項６に記載の表示装置であって、
前記メモリに前記画像データが記憶されたときに、少なくとも操作の確認入力を受け付けるためのダイアログ画像を前記表示手段に表示するようにするダイアログ表示処理手段を備え、
前記実行指示受付手段は、前記表示手段に表示される前記ダイアログ画像に対して入力するようにする前記印刷実行指示入力を受け付ける。
【００４１】
また、請求項８に記載の発明の表示装置は、請求項５または請求項６に記載の表示装置であって、
前記応答情報受信手段を通じて受信した応答情報が応答不能であることを示すものである場合に、エラー表示画像を形成するエラー表示画像形成手段と、
前記エラー表示画像形成手段により形成された前記エラー表示画像を、前記表示手段に表示するように制御するエラー表示制御手段と
を備える。
【００４５】
また、請求項１１に記載の発明の情報処理装置は、
供給される画像信号に応じた画像を表示するための表示手段と、ユーザの指示入力を受け付ける受付手段と、前記受付手段を通じて前記指示入力を受け付けたときに、供給される前記画像信号に応じた画像を形成する画像データを記憶するメモリと、前記メモリに前記画像データが記憶されたときに、前記表示手段に対して、前記メモリに記憶された画像データにより形成される画像を一定時間表示するようにした後に、供給される前記画像信号に応じた画像の表示に切り換えるようにする表示制御手段と、前記メモリに記憶された前記画像データの印刷実行指示入力を受け付ける実行指示受付手段と、前記実行指示受付手段を通じて前記印刷実行指示入力を受け付けた場合に、印刷実行指示を形成して、前記情報処理装置に送信する印刷実行指示送信手段と、前記印刷実行指示に対する前記情報処理装置からの応答情報を受信する応答情報受信手段と、前記応答情報受信手段を通じて受信した応答情報が応答可能であることを示すものである場合に、前記メモリに記憶された画像データから印刷用データを形成する印刷用データ形成手段と、前記印刷用データ形成手段により形成された前記印刷用データを前記情報処理装置に送信する印刷用データ送信手段とを備えた表示装置と、当該表示装置と無線通信により相互に信号の送受信が可能な情報処理装置とからなる送受信システムの前記情報処理装置であって、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える。
【００４８】
また、請求項１２に記載の発明の情報処理装置は、
供給される画像信号に応じた画像を表示するための表示手段と、ユーザの指示入力を受け付ける受付手段と、前記受付手段を通じて前記指示入力を受け付けたときに、供給される前記画像信号に応じた画像を形成する画像データを記憶するメモリと、前記メモリに前記画像データが記憶されたときに、前記メモリに記憶された画像データに基づいて、前記表示手段の表示画面の一部分に表示する縮小画像を形成する縮小画像形成手段と、前記表示手段に対して、供給される前記画像信号に応じた画像の表示を続行するとともに、前記縮小画像形成手段により形成された前記縮小画像を前記表示手段の表示画面の一部分に表示するようにする表示制御手段と、前記メモリに記憶された前記画像データの印刷実行指示入力を受け付ける実行指示受付手段と、前記実行指示受付手段を通じて前記印刷実行指示入力を受け付けた場合に、印刷実行指示を形成して、前記情報処理装置に送信する印刷実行指示送信手段と、前記印刷実行指示に対する前記情報処理装置からの応答情報を受信する応答情報受信手段と、前記応答情報受信手段を通じて受信した応答情報が応答可能であることを示すものである場合に、前記メモリに記憶された画像データから印刷用データを形成する印刷用データ形成手段と、前記印刷用データ形成手段により形成された前記印刷用データを前記情報処理装置に送信する印刷用データ送信手段とを備えた表示装置と、当該表示装置と無線通信により相互に信号の送受信が可能な情報処理装置とからなる送受信システムの前記情報処理装置であって、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える。
【００５０】
また、請求項１３に記載の発明の情報処理装置は、
供給される画像信号に応じた画像を表示するための表示手段と、ユーザの指示入力を受け付ける受付手段と、前記受付手段を通じて前記指示入力を受け付けたときに、供給される前記画像信号に応じた画像を形成する画像データを記憶するメモリと、前記メモリに前記画像データを記憶したときに、供給される前記画像信号に応じた画像の前記表示手段への表示を続行するとともに、少なくとも操作の確認入力を受け付けるためのダイアログ画像を重ねて表示するようにする表示制御手段と、前記表示手段に表示される前記ダイアログ画像に対して入力するようにする、前記メモリに記憶された前記画像データの印刷実行指示入力を受け付ける実行指示受付手段と、前記実行指示受付手段を通じて前記印刷実行指示入力を受け付けた場合に、印刷実行指示を形成して、前記情報処理装置に送信する印刷実行指示送信手段と、前記印刷実行指示に対する前記情報処理装置からの応答情報を受信する応答情報受信手段と、前記応答情報受信手段を通じて受信した応答情報が応答可能であることを示すものである場合に、前記メモリに記憶された画像データから印刷用データを形成する印刷用データ形成手段と、前記印刷用データ形成手段により形成された前記印刷用データを前記情報処理装置に送信する印刷用データ送信手段とを備えた表示装置と、当該表示装置と無線通信により相互に信号の送受信が可能な情報処理装置とからなる送受信システムの前記情報処理装置であって、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える。
【００５３】
また、請求項１４に記載の発明の情報処理装置は、
供給される画像信号に応じた画像を表示するための表示手段と、ユーザの指示入力を受け付ける受付手段と、前記受付手段を通じて前記指示入力を受け付けたときに、供給される前記画像信号に応じた画像を形成する画像データを記憶するメモリと、前記メモリに前記画像データが記憶されたときに、前記表示手段に対して、前記メモリに記憶された画像データにより形成される画像を一定時間表示するようにした後に、供給される前記画像信号に応じた画像の表示に切り換えるようにする表示制御手段と、前記メモリに記憶された前記画像データの印刷実行指示入力を受け付ける実行指示受付手段と、前記実行指示受付手段を通じて前記印刷実行指示入力を受け付けた場合に、印刷実行指示を形成して、前記情報処理装置に送信する印刷実行指示送信手段と、前記印刷実行指示に対する前記情報処理装置からの応答情報を受信する応答情報受信手段と、前記応答情報受信手段を通じて受信した応答情報が応答可能であることを示すものである場合に、前記メモリに記憶された画像データから印刷用データを形成する印刷用データ形成手段と、前記印刷用データ形成手段により形成された前記印刷用データを前記情報処理装置に送信する印刷用データ送信手段と、前記応答情報受信手段を通じて受信した応答情報が応答不能であることを示すものである場合に、エラー表示画像を形成するエラー表示画像形成手段と、前記エラー表示画像形成手段により形成された前記エラー表示画像を、前記表示手段に表示するように制御するエラー表示制御手段とを備えた表示装置と、当該表示装置と無線通信により相互に信号の送受信が可能な情報処理装置とからなる送受信システムの前記情報処理装置であって、
前記表示装置の前記印刷実行指示送信手段を通じて送信される前記印刷実行指示を受信する印刷実行指示受信手段と、
前記印刷実行指示受信手段を通じて前記印刷実行指示を受信した場合に、応答可能か否かを判別する判別手段と、
前記判別手段の判別結果を前記表示装置からの前記印刷実行指示に対する応答情報として前記表示装置に送信する応答情報送信手段と、
前記応答情報送信手段から送信される応答情報が応答可能であることを示すものである場合に、前記印刷用データ送信手段を通じて送信される前記印刷用データを受信する印刷用データ受信手段と、
前記印刷用データ受信手段を通じて受信した前記印刷用データに応じた情報を印刷するように制御する印刷制御手段と
を備える。
【発明の効果】
【００５５】
この発明によれば、簡単な操作で表示画像の印刷を行なうようにすることができる。また、表示画像の印刷を行なうようにした場合であって、視聴するようにしていたテレビ放送番組の画像などが表示できなくなるなどの不都合を生じさせることもないようにすることができる。
【００５６】
また、印刷を指示する操作キーの操作だけで、簡単かつ迅速に目的とする画像の印刷を行なうことができる。すなわち、複雑な操作を行なうことなく直感的な操作で画像の印刷を行なうことができる。
【発明を実施するための最良の形態】
【００５７】
住宅内などの限られたエリア内で構築される無線ＬＡＮ（Ｌｏｃａｌ  Ａｒｅａ  Ｎｅｔｗｏｒｋ）システムの一種として、テレビ放送の受信用のチューナが内蔵または接続され、モデムを介して電話回線が接続されるなど、情報ソースとして機能するベース装置と、このベース装置との間の無線通信によって、ベース装置に対してコマンドを発行して、ベース装置からテレビの画像を受信し、ベース装置を介してインターネット上の情報を受信して、ディスプレイ上に画像や情報を表示し、ベース装置を介して電子メールを送受信するモニタ装置とからなるシステムが考えられる。
【００５８】
以下、この発明を上記のシステムに適用した場合を例に挙げて、この発明の一実施形態を示す。
【００５９】
（モニタ装置およびベース装置の概略構成：図１〜図４）
図１は、モニタ装置の一例の概略構成を示し、図２および図３は、ベース装置の一例の概略構成を示し、図４は、モニタ装置をスタンドによって自立させた状態を示す。
【００６０】
図１に示すように、モニタ装置１００の正面には、ＬＣＤ（液晶ディスプレイ）１０１が設けられ、その表示画面上には、タッチパネル１０３が設けられ、ＬＣＤ１０１の左右位置には、上部にスピーカ１０５，１０６が設けられ、下部に後述のベース装置２００との間の無線通信用のパッチアンテナ１０７，１０８が設けられる。
【００６１】
一方のパッチアンテナ１０７は、モニタ装置１００の前方側に半球面状の放射パターンを形成するものとされ、他方のパッチアンテナ１０８は、逆にモニタ装置１００の後方側に半球面状の放射パターンを形成するものとされて、各パッチアンテナ１０７，１０８の受信レベル情報に基づいて実際に送信および受信を行なうパッチアンテナが選択されることによって、パッチアンテナ１０７，１０８全体として、全球面状の放射パターンを有するアンテナが形成されて、モニタ装置１００とベース装置２００との位置関係の如何にかかわらず、モニタ装置１００とベース装置２００との間の無線通信が良好に行われるように構成される。
【００６２】
モニタ装置１００の正面の右側部分には、スピーカ１０６の下側に、インデックスボタン１１１、ジャンプボタン１１２、およびチャンネルボタン１１３，１１４が設けられ、正面の左側部分には、スピーカ１０５の下側に、充電ランプ（ＬＥＤ）１１５、およびメール自動送受信ランプ（ＬＥＤ）１１６が設けられる。
【００６３】
インデックスボタン１１１は、これを押すことによって、ＬＣＤ１０１上に図示するようなインデックス画面を表示するものであり、ユーザは、タッチペンまたは指で、いずれかのメニューにタッチすることによって、テレビの選局、ベース装置２００に接続された外部機器の操作、インターネットへのアクセス、メールの作成・送信、アルバムの表示・作成などを行なうことができる。
【００６４】
ジャンプボタン１１２は、これを押すことによって、一つ前に受信していたチャンネルを受信することができるものであり、チャンネルボタン１１３は、これを押すことによって、ＬＣＤ１０１上に表示される操作画面が、テレビ→外部機器→インターネット→メール→アルバム→テレビの順に切り換えられるものであり、チャンネルボタン１１４は、これを押すことによって、ＬＣＤ１０１上に表示される操作画面が、上記の順とは逆の順に切り換えられるものである。
【００６５】
アルバムとは、デジタルカメラで撮影してメモリースティック（登録商標）に記録した画像を、ＬＣＤ１０１上に表示し、ＬＣＤ１０１上で加工し、ＬＣＤ１０１上で作成したメールに添付し、加工後にモニタ装置１００内またはメモリースティックに保存し、あるいは、テレビの画像を静止画として、またはメールで受信した画像やインターネット上で取得した画像などを、モニタ装置１００内またはメモリースティックに保存し、ＬＣＤ１０１上で加工し、ＬＣＤ１０１上で作成したメールに添付し、あるいは、モニタ装置１００内またはメモリースティックに保存されている画像をインターネット上にアップロードするなどである。
【００６６】
画像の加工としては、画像の色や明るさなどを変え、手書き入力によって画像に文字や絵などを加えることができる。
【００６７】
モニタ装置１００の上面には、タッチペン１１９が収納される溝部１２１、スタンバイランプ（ＬＥＤ）１２２、電源ボタン１２３、回線ランプ（ＬＥＤ）１２４、回線切断ボタン１２５、印刷ボタン１２６、消音ボタン１２７、音量増強ボタン１２８、および音量低減ボタン１２９が設けられる。
【００６８】
モニタ装置１００の左側面には、ＬＣＤ１０１の明るさを調整する摘み１３１、ヘッドホン接続用の端子１３２、ＵＳＢ（Ｕｎｉｖｅｒｓａｌ  Ｓｅｒｉａｌ  Ｂｕｓ）端子１３３、キーボード接続用の端子１３４、およびＡＣパワーアダプタ接続用の端子１３５が設けられる。
【００６９】
モニタ装置１００の右側面には、メモリースティック１４１が装着されるスロット１４２、およびメモリースティック用のランプ（ＬＥＤ）１４３が設けられ、モニタ装置１００の底面には、充電端子１５１，１５２が設けられる。
【００７０】
モニタ装置１００の背面には、モニタ装置１００の把持用の手掛け部１６１が設けられるとともに、モニタ装置１００を自立させるためのＵ形のスタンド１６３が開閉可能に取り付けられ、図では省略したが、スタンド１６３で囲まれる部分にバッテリ収納部が設けられ、これにバッテリが収納される。
【００７１】
図２に示すように、ベース装置２００は、正面部２１０と後方部２２０を接合して一体化した構造とされ、正面部２１０の左右位置には、モニタ装置１００との間の無線通信用のパッチアンテナ２０７，２０８が設けられる。
【００７２】
モニタ装置１００のパッチアンテナ１０７，１０８と同様に、一方のパッチアンテナ２０７は、ベース装置２００の前方側に半球面状の放射パターンを形成するものとされ、他方のパッチアンテナ２０８は、逆にベース装置２００の後方側に半球面状の放射パターンを形成するものとされて、各パッチアンテナ２０７，２０８の受信レベル情報に基づいて実際に送信および受信を行なうパッチアンテナが選択されることによって、パッチアンテナ２０７，２０８全体として、全球面状の放射パターンを有するアンテナが形成されて、ベース装置２００とモニタ装置１００との位置関係の如何にかかわらず、ベース装置２００とモニタ装置１００との間の無線通信が良好に行われるように構成される。
【００７３】
正面部２１０は、後方側に傾いたものとされ、その中央下部に、モニタ装置１００をベース装置２００に立て掛けるための支持体２１１が設けられ、支持体２１１の内側に、充電端子２０１，２０２が設けられ、支持体２１１の表面に、電源ランプ（ＬＥＤ）２０４が設けられ、正面部２１０の中央に、回線ランプ（ＬＥＤ）２０５が設けられる。
【００７４】
また、図３に示すように、後方部２２０の下部背面には、電源ボタン２３１、ＡＣパワーアダプタ接続用の端子２３２、ＶＨＦ／ＵＨＦ端子２３９、回線端子２４１、ＡＤＳＬモデムやＣＡＴＶモデムなどの接続用のイーサネット（登録商標）端子２４２、ＡＶマウス接続用の端子２４３，２４４、Ｓ映像入力端子２４５、映像音声入力端子２４６，２４７、映像音声出力端子２４８、およびプリンタ接続用のＵＳＢ端子２４９などが設けられる。
【００７５】
上述したモニタ装置１００およびベース装置２００では、ユーザは、ベース装置２００を居間などの場所に固定的に配置し、モニタ装置１００を住居内や庭などの任意の場所に持ち運んで、任意の場所で手元のモニタ装置１００によって、テレビ放送を受信し、インターネットにアクセスし、電子メールを送受信するなどの機能を実行することができる。
【００７６】
この場合、モニタ装置１００を手に持って使用することもできるが、図４に示すように、スタンド１６３を開いて、モニタ装置１００を適当な面上に適当な傾斜角で自立させることもできる。
【００７７】
また、モニタ装置１００をベース装置２００の正面部２１０に立て掛けて使用することもできる。この場合、モニタ装置１００の底面の充電端子１５１，１５２が、ベース装置２００の支持体２１１の内側の充電端子２０１，２０２に接触し、接続されることによって、モニタ装置１００に装着されたバッテリを、ベース装置２００によって充電することができる。
【００７８】
（ベース装置およびモニタ装置の機能ブロック構成：図５および図６）
図５は、ベース装置２００の機能ブロック構成の一例を示す。制御部２７０は、ＣＰＵ２７１、ＣＰＵ２７１が実行すべきプログラムや固定データなどが書き込まれたＲＯＭ２７２、およびＣＰＵ２７１のワークエリアなどとして機能するＲＡＭ２７３によって構成される。
【００７９】
ＶＨＦ／ＵＨＦ端子２３９には、ＶＨＦ／ＵＨＦアンテナ１が接続され、ＶＨＦ／ＵＨＦアンテナ１で受信された地上波テレビ放送信号が、ベース装置２００内のＶＨＦ／ＵＨＦチューナ２５９で選局復調され、さらに映像データおよび音声データに変換された上で、バス２７４に送出される。
【００８０】
回線端子２４１には、電話回線２が接続され、回線端子２４１は、回線インタフェース２６１およびモデム２６２を介してバス２７４に接続される。
【００８１】
映像音声入力端子２４６には、第１外部機器６として、例えばデジタルＣＳチューナやデジタルＢＳチューナなどが接続され、これからの映像データおよび音声データが、ベース装置２００内の外部入力インタフェース２６６を介して、バス２７４に送出される。
【００８２】
映像音声入力端子２４７には、第２外部機器７として、例えばＤＶＤプレーヤやハードディスクレコーダなどが接続され、これからの映像データおよび音声データが、ベース装置２００内の外部入力インタフェース２６７を介して、バス２７４に送出される。
【００８３】
端子２４３および２４４には、ＡＶマウス３および４が接続されるとともに、端子２４３および２４４は、ベース装置２００内のインタフェース２６３および２６４を介してバス２７４に接続され、制御部２７０からのコマンド信号によってＡＶマウス３および４の発光部から送出された赤外線遠隔操作信号が、第１外部機器６および第２外部機器７に設けられた受光部で受信されることによって、第１外部機器６および第２外部機器７が操作される。
【００８４】
ＵＳＢ端子２４９には、プリンタ９が接続され、バス２７４に送出された印刷用のコマンドおよびデータが、ＵＳＢインタフェース２６９を介してプリンタ９に供給される。また、制御部２７０は、ＵＳＢ端子２４９、ＵＳＢインタフェース２６９を通じてプリンタの接続の有無、および、接続されているプリンタの状態を監視することができるようにしている。
【００８５】
バス２７４には、無線通信部２８０が接続され、モニタ装置１００に送信されるべき各種のデータやコマンドが、無線通信部２８０において、所定の変調方式（例えばＤＳ−ＳＳ）で変調され、所定周波数帯（例えば２．４ＧＨｚ帯）の高周波信号に変換されて、パッチアンテナ２０７，２０８からモニタ装置１００に送信されるとともに、モニタ装置１００から送信されたコマンドや各種のデータが、パッチアンテナ２０７，２０８で受信され、無線通信部２８０において、周波数変換され、復調されて、バス２７４に送出される。
【００８６】
図６は、モニタ装置１００の機能ブロック構成の一例を示す。制御部１７０は、ＣＰＵ１７１、ＣＰＵ１７１が実行すべき後述のスライドショー設定処理ルーチンおよびスライドショー表示処理ルーチンを含むプログラムや固定データなどが書き込まれたＲＯＭ１７２、およびＣＰＵ１７１のワークエリアなどとして機能するＲＡＭ１７３によって構成される。
【００８７】
バス１７４には、画像ファイルなどが書き込まれるユーザメモリ１７５が接続されるとともに、図１に示したスロット１４２にメモリースティック１４１が装着されることによって、メモリースティック１４１が接続される。
【００８８】
バス１７４には、無線通信部１８０が接続され、ベース装置２００に送信されるべきコマンドや各種のデータが、無線通信部１８０において、所定の変調方式で変調され、所定周波数帯の高周波信号に変換されて、パッチアンテナ１０７，１０８からベース装置２００に送信されるとともに、ベース装置２００から送信された各種のデータやコマンドが、パッチアンテナ１０７，１０８で受信され、無線通信部１８０において、周波数変換され、復調されて、バス１７４に送出される。
【００８９】
バス１７４には、表示制御部１９１を介してＬＣＤ１０１が接続されるとともに、Ｄ／Ａコンバータ１９５および音声増幅回路１９６を介してスピーカ１０５，１０６が接続される。
【００９０】
また、タッチパネル１０３が、座標検出部１９３を介してバス１７４に接続されるとともに、図１に示したインデックスボタン１１１などを含む操作部１０９が、インタフェース１９９を介してバス１７４に接続される。
【００９１】
（表示画像の印刷（ハードコピー）：図７〜図１０）
そして、上述のモニタ装置１００とベース装置２００とからなる画像処理装置（画像処理システム）においては、モニタ装置１００のＬＣＤ１０１に表示されている画像の印刷を簡単な操作で行なうことができるようにしている。つまり、この実施の形態の画像処理システムは、画像のハードコピー機能を備えたものである。
【００９２】
前述もしたように、モニタ装置１００は、ベース装置２００から供給される種々の表示情報に応じた画像をＬＣＤ１０１に表示することができるものであり、ＬＣＤ１０１に表示するようにされた画像であればそのハードコピーをとることができるようにしている。
【００９３】
なお、ベース装置２００からモニタ装置１００に供給される表示情報としては、例えば、テレビ放送番組の画像データ、外部機器から供給される画像データ、インターネットを通じて取得するようにした画像データ、電子メールデータ、ベース装置２００において形成されるメッセージデータなどがある。
【００９４】
以下においては、モニタ装置１００がベース装置２００からテレビ放送番組を提供する信号の供給を受け、モニタ装置１００を通じてテレビ放送番組を視聴するようにしている場合を例にして説明を進める。
【００９５】
上述のベース装置２００は、図５に示したように、ＵＳＢ端子２４９を通じてプリンタ９を接続することができるようにされている。なお、この例の場合、ベース装置２００のＵＳＢ端子２４９に接続されたプリンタ９を動作させるためのプログラムやデータからなるいわゆるプリンタドライバは、モニタ装置１００のユーザメモリ１７５に最初からインストールされている。
【００９６】
そして、図１に示したように、モニタ装置１００の上面に設けられているハードウエアキーである印刷ボタン１２６が押下操作された場合に、その時点においてＬＣＤ１０１に表示するようにされている画像を形成するフレーム画像データが例えばユーザメモリ１７５に取り込まれ、印刷実行指示がベース装置２００に送信される。
【００９７】
この場合、モニタ装置１００においては、ユーザメモリ１７５に取り込んだフレーム画像データによる画像を１００ミリ秒から１秒程度の適宜の時間分静止画像としてＬＣＤ１０１に表示した後、元の画像の表示、すなわち、この例の場合には、視聴していたテレビ放送番組の画像（動画像）の表示に戻るようにされる。
【００９８】
このように、ユーザメモリ１７５に取り込んだフレーム画像データによる画像を適宜の時間表示するのは、どの画像が印刷されるかをユーザに明確に通知するためである。
【００９９】
なお、ユーザメモリ１７５に取り込んだフレーム画像データによる画像を静止画像として適宜の時間表示したとしても、その時間は、上述のように、１００ミリ秒から１秒程度と極短い時間とすることにより、元の画像であるテレビ放送番組の画像により提供される重要な情報を見逃すなどの不都合が生じることもないようにしている。
【０１００】
そして、モニタ装置１００は、自機のメモリに保持する印刷ダイアログ情報に応じた印刷ダイアログ画像をＬＣＤ１０１に表示中のテレビ放送番組の画像に重ねて表示する。図７は、印刷ダイアログ画像の表示例を説明するための図である。
【０１０１】
図７において、山などの風景部分がテレビ放送番組の画像であり、これに印刷ダイアログ画像ＤＧが重ねて表示するようにされている。この場合、印刷ダイアログ画像ＤＧは、いわゆるアルファブレンディングの技術を用い透過性のある画像（透明度のある画像）として表示するようにされ、印刷ダイアログ画像ＤＧが表示されることにより、その後ろ側の画像となるテレビ放送番組の画像を見えなくすることがないようにしている。
【０１０２】
そして、印刷ダイアログ画像ＤＧには、印刷を行なうことを最終的に確認し印刷実行を指示するための“ＯＫアイコン”ｉ１と、印刷を中止することを指示する“やめるアイコン”ｉ２とが表示され、そのいずれかを選択指示することができるようにしている。
【０１０３】
また、図７に示す例の印刷ダイアログ画像ＤＧの場合、用紙サイズ、用紙種類、印刷枚数、印刷方式などを設定することもできるようにされている。この例においては、用紙サイズとしては、Ａ４縦、はがき縦、はがき横の選択が可能であり、用紙種類としては、普通紙と高品位用紙との選択が可能であり、また、印刷方式としては、標準印刷と見たまま印刷の選択が可能とされている。
【０１０４】
なお、図７に示した例においては、用紙サイズはＡ４縦が、用紙種類は普通紙が、印刷方式は標準印刷が選択され、印刷枚数は１枚と設定されている場合を示している。そして、アイコンや選択項目に対する選択入力は、上述したように、タッチペンまたは指で目的とするアイコンや項目のＬＣＤ１０１上の表示位置にタッチすることにより、選択することができるようにされている。
【０１０５】
そして、“ＯＫアイコン”ｉ１が選択された場合に、モニタ装置１００は、前述したように、印刷実行指示を形成し、これをベース装置２００に送信する。ベース装置２００は、モニタ装置１００からの印刷実行指示を受信すると、自機に接続されているプリンタをモニタし、当該プリンタが動作可能か否かを示すデータをモニタ装置１００に送信する。
【０１０６】
モニタ装置１００は、ベース装置２００からのデータが、ベース装置２００に接続されているプリンタが動作可能であることを示すものである場合には、ユーザメモリ１７５に取り込んだフレーム画像データから、モニタ装置１００に予めインストールされているプリンタドライバにより、印刷用データを形成し、これをベース装置２００に送信する。
【０１０７】
ベース装置２００は、モニタ装置１００からの印刷用データを受信すると、これをＵＳＢインタフェース２６９、ＵＳＢ端子２４９を通じてプリンタ９に供給する。これにより、プリンタ９が動作し、ユーザが印刷を希望した表示画像が、プリンタ９によって印刷される。
【０１０８】
また、ベース装置２００が、モニタ装置１００からの印刷実行指示を受信した場合に行なうプリンタのモニタの結果、プリンタが接続されていなかったり、接続されているプリンタに障害があったりする場合には、これを通知するためのプリンタに関する情報が形成され、これがモニタ装置１００に送信される。
【０１０９】
モニタ装置１００は、ベース装置２００からのプリンタに関する情報を受信すると、そのプリンタに関する情報に応じた画像をＬＣＤ１０１に表示中の画像に重ねて表示する。図８は、プリンタに関する情報に応じた画像（プリンタエラー画像）ＥＧの表示例を説明するための図である。
【０１１０】
この図８の場合にも、山などの風景部分がテレビ放送番組の画像であり、これにプリンタエラー画像ＥＧが重ねて表示される。このプリンタエラー画像ＥＧもまた、アルファブレンディングの技術を用い透過性のある画像（透明度のある画像）として表示するようにされ、プリンタエラー画像ＥＧが表示されることにより、その後ろ側の画像となるテレビ放送番組の画像を見えなくすることがないようにしている。
【０１１１】
なお、図８に示した例は、モニタ装置１００に予めインストールされているプリンタドライバによっては動作させることができないプリンタが接続された場合に表示されるプリンタエラー画像である。この他、プリンタエラー画像には、以下のようなものがある。
【０１１２】
例えば、プリンタから応答がない場合、あるいは、プリンタがビジィ状態である場合を通知するものとして、「プリンタの準備ができていないようなので印刷を中断しました。確認してください。」、「プリンタの電源が入っていないかプリンタが接続されていないため印刷を中断しました。」、「プリンタ使用中のため印刷を開始できません。印刷を中断しました。」などのメッセージを表示するものがある。
【０１１３】
また、印刷実行中に生じた障害を通知するものとして、「プリンタの用紙が詰まったため印刷を中断しました。プリンタを確認してください。」、「プリンタのカバーが開いています。カバーを閉じた後に、「ＯＫ」を選ぶと印刷を続けます。」などのメッセージを表示するものがある。
【０１１４】
また、プリンタの消耗品関係の障害などを通知するものとして、「プリンタのカートリッジをセットしてください。セットした後に、「ＯＫ」を選ぶと印刷を続けます。」、「カラーインクがなくなりました。カラーインクを交換した後に、「ＯＫ」を選ぶと印刷を続けます。」、「黒インクがなくなりました。黒インクを交換した後に、「ＯＫ」を選ぶと印刷を続けます。」、「インクがなくなりました。インクを交換した後に、「ＯＫ」を選ぶと印刷を続けます。」などのメッセージを表示するものがある。
【０１１５】
また、その他の異常を通知するものとして、「プリンタのケーブルまたはプリンタに異常があるようなので印刷を中断しました。」、「プリンタドライバのエラーが起きたため印刷を中断しました。」、および、図８に示した「本機ではこのプリンタには対応していません。」などのメッセージを表示するものが用意されている。
【０１１６】
ベース装置２００は、これに接続されたプリンタをモニタし、障害が発生している場合には、どのような障害が発生しているのかを、適切なプリンタエラーメッセージによって、ユーザに対し明確に通知することができるようにしている。
【０１１７】
なお、図７に示した印刷ダイアログ情報を通じて、“やめるアイコン”ｉ２選択された場合には、画像の印刷処理を中止し、不必要な画像を印刷出力することが無いようにしている。
【０１１８】
（モニタ装置とベース装置の印刷処理時の動作について）
次に、モニタ装置１００とベース装置２００とからなるこの実施の形態の画像処理システムにおける印刷処理時の動作について、図９、図１０のフローチャートを参照しながら説明する。
【０１１９】
（モニタ装置１００の印刷処理時の動作）
まず、モニタ装置１００の印刷処理時の動作から説明する。図９は、モニタ装置１００における印刷処理時の動作について説明するためのフローチャートである。この図９の処理は、モニタ装置１００の制御部１７０において実行される処理である。モニタ装置１００の制御部１７０は、モニタ装置１００の上面に設けられている印刷ボタン１２６が押下されたか否かを監視する（ステップＳ１０１）。
【０１２０】
ステップＳ１０１の処理において、印刷ボタン１２６が押下されたことを検出した場合には、制御部１７０は、印刷ボタン１２６が押下された時点においてＬＣＤ１０１に表示されていた画像を形成するフレーム画像データを例えばユーザメモリ１７５に取り込み（格納し）、この取り込んだフレーム画像データによる静止画像を一定時間、例えば１００ミリ秒程度表示するようにする（ステップＳ１０２）。
【０１２１】
この場合、フレーム単位の画像データ（フレーム画像データ）は、ユーザメモリ１７５に供給され、表示画像と同じ画像を形成するフレーム画像データが蓄積するようにされ、印刷ボタン１２６が押下操作された場合に、その時点においてＬＣＤ１０１に表示されている画像を形成するフレーム画像データを確実にユーザメモリ１７５に格納することができるようにしている。
【０１２２】
また、制御部１７０の制御により、前述したように、ユーザメモリ１７５に取り込まれたフレーム画像データが表示制御部１９１に供給され、一定時間静止画像として表示された後、順次に供給される画像データによる例えばテレビ放送番組による画像の表示（動画像の表示）に切り換えられるようにされる。
【０１２３】
このようにすることにより、印刷しようとした目的とする画像を形成するフレーム画像データがユーザメモリ１７５に格納されたか否かを確認することができるようにしている。また、ユーザメモリ１７５に取り込んだフレーム画像データに応じた画像の表示は、ユーザが認識できる程度の極短い時間だけであるので、視聴するようにしていたテレビ放送番組の重要な画像を見逃すなどという不都合が発生することもない。
【０１２４】
そして、制御部１７０は、ユーザによって、印刷ボタン１２６が押下操作された時点において表示するようにされた画像を形成するフレーム画像データをユーザメモリ１７５に取り込んだ後、モニタ装置１００の制御部１７０は、視聴するようにされているテレビ放送番組の画像に重ねて、自機の例えばユーザメモリ１７５に保持するようにしている印刷ダイアログ情報に応じた印刷ダイアログ画像を表示する（ステップＳ１０３）。
【０１２５】
この場合、印刷ダイアログ画像は、図７を用いて説明したように透過性のある画像（透明度のある画像）として表示されるので、印刷ダイアログ画像によりテレビ放送番組の画像が見えなくなることがないようにしている。つまり、画像の印刷を行なうようにしても、視聴するようにしていたテレビ放送番組の画像が見られなくなるという不都合を生じさせることもないようにしている。
【０１２６】
そして、モニタ装置１００の制御部１７０は、例えば、タッチパネル１０３、座標検出部１９３を通じて、印刷に関する情報の入力を受け付ける（ステップＳ１０４）。このステップＳ１０４の処理は、図７を用いて説明したように、印刷に関する各種の設定情報や、印刷実行の最終確認、印刷中心の最終確認を受け付ける処理である。
【０１２７】
そして、モニタ装置１００の制御部１７０は、ステップＳ１０４において受け付けたユーザからの操作入力が、図７に示したアイコンｉ１を選択するものであり、印刷を行なうことを指示するものか否かを判断する（ステップＳ１０５）。ステップＳ１０５の判断処理において、ユーザからの操作入力が、印刷を行なうことを指示するものであると判断したときには、印刷実行指示情報を形成し、これを無線通信部１８０、パッチアンテナ１０７，１０８を通じてベース装置２００に送信する（ステップＳ１０６）。
【０１２８】
印刷実行指示を受信したベース装置２００は、前述もし、また後述もするように、ＵＳＢ端子２４９、ＵＳＢインタフェース２６９を通じてベース装置２００に接続されているプリンタ９の状態をモニタする。この場合、プリンタ９からＵＳＢ端子２４９、ＵＳＢインタフェース２６９を通じてプリンタ９の状態を通知するデータがベース装置２００の制御部２７０に供給され、ベース装置２００の制御部２７０は、プリンタ９が印刷可能な状態であるときにはその旨を通知するデータを送信し、印刷不能なときには、その旨を通知する印刷エラー情報とを送信してくる。
【０１２９】
モニタ装置１００は、ベース装置２００からの返信情報を受信し（ステップＳ１０７）、受信した返信情報が印刷エラーを示すものか否かを判断する（ステップＳ１０８）。
【０１３０】
このステップＳ１０８の判断処理において、モニタ装置１００の制御部１７０が返信情報は印刷エラーを示すものではないと判断したときには、モニタ装置１００の制御部１７０は、ユーザメモリ１７５に取り込んだフレーム画像データから印刷用データを形成し、これをバス１７４、無線通信部１８０、パッチアンテナ１０７，１０８を通じてベース装置２００に送信する（ステップＳ１０９）。
【０１３１】
この後、モニタ装置１００から送信されたフレーム画像データに応じた画像がベース装置２００に接続されたプリンタ９から出力されるが、印刷出力されるまでの間、モニタ装置１００の制御部１７０は、例えば、「お待ち下さい」というメッセージをＬＣＤ１９６に表示し（ステップＳ１１０）、この後に、視聴するようにされていたテレビ放送番組の画像のみの表示を行なうようにし（ステップＳ１１１）、この図９に示す処理を終了する。
【０１３２】
また、ステップＳ１０５の判断処理において、ユーザからの操作入力は、印刷を行なうことを指示するものではない、すなわち、図７に示したアイコンｉ２を選択するものであり、印刷の中止を指示するものであると判断したときには、ステップＳ１０３において表示した印刷ダイアログ画像の表示を消去するようにし（ステップＳ１１２）、視聴するようにしていたテレビ放送番組の画像を表示するようにして（ステップＳ１１１）、この図９に示す処理を終了する。すなわち、印刷処理を中止して終了する。
【０１３３】
また、ステップＳ１０８の判断処理において、ステップＳ１０７において受信した返信情報は、印刷エラーを示すものであると判断したときには、図８を用いて説明したように、印刷エラーの状態に応じた内容のプリンタエラー画像を表示するとともに、エラー状態の回避後においては印刷処理の続行が可能なものについては、ユーザからの確認入力を受け付けるエラー表示処理を実行する（ステップＳ１１３）。
【０１３４】
そして、モニタ装置１００の制御部１７０は、確認入力を受け付けたか否かを判断し（ステップＳ１１４）、確認入力を受け付けたと判断したときには、ステップＳ１０６からの処理を繰り返し、ステップＳ１０２において取り込んだフレーム画像データに応じた画像の印刷処理を続行するようにする。
【０１３５】
ステップＳ１１４の判断処理において、例えば、所定時間の間に、確認入力を受け付けなかったと判断した場合や印刷中断の所定の操作がされた場合、あるいは、始めから確認入力は受け付けられずに、印刷処理が中断するようにされていると判断した場合には、モニタ装置１００の制御部１７０は、印刷処理を中断し、視聴するようにされていたテレビ放送番組の画像のみを表示するようにして（ステップＳ１１１）、この図９に示す処理を終了する。
【０１３６】
（ベース装置２００の印刷処理時の動作について）
次に、ベース装置２００の印刷処理時の動作について説明する。図１０は、ベース装置２００における印刷処理時の動作について説明するためのフローチャートである。この図１０に示す処理は、ベース装置２００の制御部２７０において実行される処理である。
【０１３７】
ベース装置２００の制御部２７０は、パッチアンテナ２０７，２０８、無線通信部２８０を通じて、モニタ装置１００からの印刷実行指示を受信したか否かを監視する（ステップＳ２０１）。ステップＳ２０１の判断処理において、モニタ装置１００からの印刷実行指示を受信したと判断したときには、ベース装置２００の制御部２７０は、ＵＳＢインタフェース２６９を通じて、ＵＳＢ端子２４９に接続されているべきプリンタ９をモニタするようにし、プリンタ９が接続されているか、接続されている場合には、動作可能か否かを確認する（ステップＳ２０２）。
【０１３８】
そして、ベース装置２００の制御部２７０は、ステップＳ２０２のモニタ結果に基づいて、プリンタが未接続であったり、動作不能な（使用不能な）状態であったりするなどのエラー状態か否かを判断する（ステップＳ２０３）。
【０１３９】
ステップＳ２０３の判断処理において、エラー状態であると判断したときには、エラーを通知する情報を返信情報として形成し、これをバス２７４、無線通信部２８０、アンテナ２０７、２０８を通じてモニタ装置１００に送信し（ステップＳ２０４）、この図１０に示す処理を終了する。そして、例えば、再度、この図１０に示す処理が実行するようにされてモニタ装置１００からの印刷実行指示の受信待ちとなる。
【０１４０】
ステップＳ２０３の判断処理において、エラー状態ではないと判断したときには、ベース装置２００の制御部２７０は、印刷可能を示す情報をバス２７４、無線通信部２８０、アンテナ２０７、２０８を通じてモニタ装置１００に送信し（ステップＳ２０５）、モニタ装置１００からの印刷用データを受信するようにする（ステップＳ２０６）。
【０１４１】
そして、モニタ装置１００からの印刷用データを受信すると、制御部２７０は、受信した印刷用データをＵＳＢインタフェース２６９、ＵＳＢ端子２４９を通じてプリンタ９に供給し、モニタ装置１００から印刷用データに応じた画像をプリンタ９から印刷出力する（ステップＳ２０７）。そして、この図１０に示す処理を終了し、例えば、再度、この図１０に示す処理が実行するようにされてモニタ装置１００からの印刷実行指示の受信待ちとなる。
【０１４２】
このように、ハードウエアキーとして設けられた印刷ボタン１２６を押下操作するだけという簡単で瞬時に行なうことが可能な操作により、そのときＬＣＤ１０１の表示画面に表示するようにされていた画像を印刷する、いわゆるハードコピーを実現することができるようにされる。
【０１４３】
また、この場合、印刷するために、ユーザメモリ１７５に取り込むようにされたフレーム画像データによる画像は、一定時間、静止画像として表示され、ユーザにどの画像が印刷するようにされたかを知らせることができるようにされる。
【０１４４】
また、印刷ダイアログ画像の表示により、印刷するようにした画像の印刷を行なうか否かを最終確認することができるとともに、印刷ダイアログ画像を介して、印刷に関する種々の設定を行なうようにすることができる。また、プリンタエラー画像の表示により、印刷エラーが発生して印刷ができない場合にこれを明確に通知することができるとともに、印刷エラーの内容をも明確に通知することができるので、印刷エラーを迅速に回避するようにすることができるようにされる。
【０１４５】
また、印刷ダイアログ画像、プリンタエラー画像は、いわゆるアルファブレンディングの技術が用いられ、透明度があり、後の画像を透過させて観視可能なように表示することができるので、視聴するようにしていたテレビ放送番組の画像などが、印刷ダイアログ画像、プリンタエラー画像によっては見えなくなることがないようにされる。したがって、テレビ放送番組などの画像が邪魔されることなく、印刷ダイアログ画像、プリンタエラー画像が表示することができるようにされる。
【０１４６】
また、印刷ダイアログ画像やプリンタエラー画像を表示することなく、印刷ボタン１２６が押下操作された場合には、その時点においてＬＣＤ１０１に表示されていた画像を即座に印刷出力するようにすることも可能である。
【０１４７】
また、印刷ダイアログ画像は表示するが、プリンタエラー画像は表示せずに、プリンタ側においての警告表示などにより印刷エラーを通知するようにしてもよい。また、印刷ダイアログ画像は用いないが、プリンタエラー画像は用いるようにすることもできる。
【０１４８】
しかし、不必要な画像の印刷を抑制したり、用紙、用紙サイズ、印刷枚数、印刷方式などを設定し、好みの印刷を画像毎に行なうようにしたりするためには、印刷ダイアログ画像の表示は有効であるし、また、印刷が可能な環境を迅速に整えるようにするためには、プリンタエラー画像の表示は有効である。
【０１４９】
また、前述した実施の形態の場合、画像処理装置は、モニタ装置１００とベース装置２００とからなるものであり、プリンタ９はベース装置２００に接続されて用いられるようにされる。このため、モニタ装置１００は、持ち運びが自由となり、家庭内のどこにおいても、目的とする画像が表示された場合には、これを印刷するようにすることができる。
【０１５０】
なお、上述のように、画像処理装置は、モニタ装置１００とベース装置２００とからなるものに限るものではなく、モニタ装置１００とベース装置２００との機能を有する例えばテレビ受像機のような単体の画像処理装置にもこの発明を適用することができる。
【０１５１】
このような場合には、画像処理装置は、ユーザの手の届く範囲内に設置されていないこともあると考えられるので、印刷ボタンを画像処理装置に設けるのではなく、画像処理装置の遠隔操作装置（リモートコマンダ）に設けるようにしてももちろんよい。
【０１５２】
また、印刷ボタンは、前述の実施の形態の場合のように、ユーザが操作可能な位置で用いられることが多い場合には、ＬＣＤ１０１に表示するようにし、タッチパネルとともに操作を受け付けるようにするいわゆるソフトウエアキーとして実現するようにしてももちろんよい。
【０１５３】
また、前述した実施の形態においては、印刷ボタン１２６の押下操作時点の画像のフレーム画像データをユーザメモリ１７５に取り込むものとして説明したが、これに限るものではない。印刷処理専用の画像メモリを設けるようにし、これに取り込むようにしてもよい。また、メモリ容量を大きくすることにより、印刷用のフレーム画像データを複数取り込み、これを連続して印刷するようにすることも可能である。
【０１５４】
（他の例について）
前述の実施の形態においては、印刷ボタン１２６が押下された場合に、その時点においてＬＣＤ１０１に表示するようにされていた画像を形成するフレーム画像データをメモリに取り込み、このメモリに取り込んだフレーム画像データによる画像を一定時間静止画像として表示するようにした。しかし、これに限るものではない。
【０１５５】
例えば、印刷ボタン１２６が押下された場合に、その時点においてＬＣＤ１０１に表示するようにされていた画像を形成するフレーム画像データをメモリに取り込むが、ベース装置１００から送信されてくる画像データによる画像の表示は停止することなくそのまま続行し、メモリに取り込んだフレーム画像データが縮小画像を形成し、これを図１１に示すように、子画面ＫＧに表示するようにすることもできる。
【０１５６】
子画面ＫＧに表示する縮小画像の形成と、形成された縮小画像（子画面ＫＧの画像）とベース装置２００からの画像データによる画像の合成は、制御部１７０の制御に応じて、表示制御部１９１において行なうことができるようにされる。この場合、子画面に表示する画像を前述した印刷ダイアログ画像、プリンタエラー画像と同様に、アルファブレンディングの技術を用いて透明度のある画像として表示するようにしてもよい。
【０１５７】
このようにするためには、図９に示したモニタ装置１００の動作を説明するためのフローチャートのステップＳ１０２の処理において、メモリに取り込んだフレーム画像データに応じた画像の一定時間の表示処理に変えて、メモリに取り込んだフレーム画像データに応じた画像の子画面表示を行なうようにすればよい。
【０１５８】
なお、子画面ＫＧは、予め決められた時間経過後に消去するようにしたり、ユーザから所定に操作が行なわれた場合に消去するようにしたり、また、例えば、印刷が終了し、印刷終了コマンドがベース装置２００から送信されこれを受信した場合に消去するようにするなどの種々とタイミングとすることができる。
【０１５９】
また、印刷ボタン１２６が押下操作された場合であっても、メモリに取り込んだ画像の一定時間の表示やメモリに取り込んだ画像の子画面表示は行なうことなく、ベース装置２００からの画像データによる画像の表示をそのまま続行し、印刷ボタン１２６の押下操作時点においてメモリに取り込んだ画像の印刷処理を行なうようにしてもよい。この場合には、図９に示したモニタ装置１００の動作を説明するためのフローチャートのステップＳ１０２の処理においては、単に、フレーム画像データをメモリに取り込む処理だけを行なうようにすればよい。
【０１６０】
また、上述した、印刷ボタン１２６押下操作時の処理として、（１）メモリに取り込んだ画像の一定時間表示と、（２）メモリに取り込んだ画像の子画面表示と、（３）メモリに取り込んだ画像の表示無しの３つのモードを用意しておき、ユーザが好みのモードを選択することができるようにしてもよい。
【０１６１】
また、メモリに取り込んだ画像の一定時間表示を行なうようにする場合には、メモリに取り込んだ画像を例えば１００ミリ秒から１秒の範囲内で任意の時間間隔にユーザが設定できるようにしてもよい。
【０１６２】
なお、前述した実施の形態においては、モニタ装置１００側にプリンタドライバを搭載しておき、モニタ装置１００において、目的とする画像を形成するフレーム画像データの取り込みと、取り込んだフレーム画像データからの印刷用データの生成を行ない、ベース装置２００においては、ベース装置２００に接続されたプリンタのモニタを行なうようにし、印刷に係る機能（プリンタドライバとしての機能）をモニタ装置１００とベース装置２００とに分散するようにした。しかしこれに限るものではない。
【０１６３】
例えば、ベース装置２００に画像メモリを設けておき、モニタ装置１００のＬＣＤ１０１に表示するようにされている画像を形成するフレーム画像データをベース装置２００の画像メモリに保持できるようにしておく。そして、印刷ボタン１２６が押下操作されて、モニタ装置１００から印刷実行指示が送信されて来た場合に、ベース装置２００の制御部２７０は、画像メモリに格納されたフレーム画像データを保持するようにし、このフレーム画像データから印刷用データを形成し、目的とする画像の印刷を行なうようにすることもできる。
【０１６４】
このようにした場合には、画像の印刷に関するほとんどの処理をベース装置２００側で行なうようにすることになる。この場合には、いわゆるプリンタドライバとしての機能の全部をベース装置２００側に予めインストールするようにすればよい。
【０１６５】
すなわち、プリンタドライバは、モニタ装置１００、ベース装置２００のいずれにも搭載可能で有り、また、印刷しようとして取り込むフレーム画像データをモニタ装置１００、ベース装置２００のいずれに取り込むようにすることができる。また、プリンタドライバが有する複数の機能をモニタ装置１００とベース装置２００とで分散して持つようにすることもできる。
【０１６６】
また、印刷ボタン１２６が押下操作されたときに、ＬＣＤ１０１に表示するようにされた画像のフレーム画像データをモニタ装置１００のメモリに取り込み、このフレーム画像データをベース装置２００に送信して、ベース装置２００に予めインストールされているプリンタドライバを用いて印刷用データを形成し、これをプリンタに供給して印刷出力するようにすることもできる。
【０１６７】
また、モニタ装置１００にプリンタドライバを搭載するようにした場合には、例えば、モニタ装置１００に設けられているＵＳＢ端子にプリンタを接続して、モニタ装置１００の近傍のプリンタから画像を出力したり、また、通信機能を備えたプリンタにモニタ装置１００から印刷用データを送信したりすることにより、ベース装置２００を介すことなく、画像の印刷を行なうようにすることもできる。
【０１６８】
また、前述の実施の形態においては、テレビ放送番組の視聴時において、そのテレビ放送番組により提供された画像を印刷出力する場合を例にして説明した。しかし、前述した実施の形態の画像処理装置は、通信機能を供え、インターネットに接続して各種のＷｅｂページにアクセスしたり、また、電子メールの送受信を行なったり、また、ＤＶＤプレーヤやＶＴＲからの画像や音声を再生することも可能である。
【０１６９】
したがって、Ｗｅｂページ、作成した電子メール、受信した電子メール、ＤＶＤプレーヤやＶＴＲなどからの画像データによる画像などをＬＣＤ１０１に表示するようにしている場合には、テレビ放送番組の画像をＬＣＤ１０１に表示している場合と同様にして、これを印刷出力することができる。
【０１７０】
また、テレビ放送番組の視聴時やＤＶＤプレーヤ、ＶＴＲからの再生時においては、画像とともに、音声も再生するようにされるが、音声については、特別な処理を行なうことなく、通常通り処理すればよい。もちろん、必要に応じて、音声についても停止処理したりすることは可能である。
【図面の簡単な説明】
【０１７１】
【図１】モニタ装置の一例を示す図である。
【図２】ベース装置の一例の正面および側面を示す図である。
【図３】ベース装置の一例の背面を示す図である。
【図４】モニタ装置をスタンドによって自立させた状態を示す図である。
【図５】ベース装置の機能ブロック構成の一例を示す図である。
【図６】モニタ装置の機能ブロック構成の一例を示す図である。
【図７】印刷ダイアログ画像の一例を示す図である。
【図８】プリンタエラー画像の一例を示す図である。
【図９】モニタ装置における印刷処理時の動作を説明するためのフローチャートである。
【図１０】ベース装置における印刷処理時の動作を説明するためのフローチャートである。
【図１１】印刷する画像の子画面表示の例を示す図である。
【符号の説明】
【０１７２】
１００…モニタ装置、１２６…印刷ボタン、１０１…ＬＣＤ、１０３…タッチパネル、１０５、１０６…スピーカ、１０７、１０８…アンテナ、１４１…メモリースティック、１７０…制御部、１７１…ＣＰＵ、１７２…ＲＯＭ、１７３…ＲＡＭ、１７４…バス、１７５…ユーザメモリ、１８０…無線通信部、１９１…表示制御部、１９３…座標検出部、１９５…Ｄ／Ａコンバータ、１９６…オーディオアンプ、１９９…インタフェース、２００ベース装置、２０７、２０８…アンテナ、２４９…ＵＳＢ端子、２６９…ＵＳＢインタフェース、２７０…制御部、２７１…ＣＰＵ、２７２…ＲＯＭ、２７３…ＲＡＭ、２７４…バス、９…プリンタ
【図１】
0004543343.tif 000002
【図２】
0004543343.tif 000003
【図３】
0004543343.tif 000004
【図４】
0004543343.tif 000005
【図５】
0004543343.tif 000006
【図６】
0004543343.tif 000007
【図７】
0004543343.tif 000008
【図８】
0004543343.tif 000009
【図９】
0004543343.tif 000010
【図１０】
0004543343.tif 000011
【図１１】
0004543343.tif 000012